(57)【要約】【課題】水面から浮上したランナー部に働く重力方向の力によってランナー部の循環移動が妨げられるのを抑制し、発電効率が上昇した水力発電装置を提供する。【解決手段】第１チェーン部７１および第２チェーン部７２の径方向外側に、矩形状のランナー部８０を、周方向に沿って所定の間隔毎に複数取り付けて構成された水受け部１３とを備え、ランナー部８０は、所定の辺の一端部が第１チェーン部７１に回動可能に支持され、かつ、当該辺の他端部が第２チェーン部７２に回動可能に支持されている。【選択図】図７
2020153279.tif 000002
【特許請求の範囲】
【請求項１】
流路が設けられた浮台と、
前記流路に配置された水車部とを備え、
前記水車部は、
前記流路に固定され、櫓状に形成された支持部と、
前記支持部における前記流路の幅方向一方側に、軸方向を前記流路と直交させた状態の複数の歯車を、円弧状となるように配置して構成された第１歯車群と、
前記支持部における前記流路の幅方向他方側に、軸方向を前記流路と直交させた状態の複数の歯車を、円弧状となるように配置して構成された第２歯車群と、
前記第１歯車群および前記第２歯車群を構成する任意の歯車に接続され、当該歯車の回転に基づき発電する発電部と、
前記第１歯車群に巻き掛けられた第１チェーン部と、
前記第２歯車群に巻き掛けられた第２チェーン部と、
前記第１チェーン部および前記第２チェーン部の径方向外側に、矩形状のランナー部を、周方向に沿って所定の間隔毎に複数取り付けられて構成された水受け部とを備え、
前記ランナー部は、所定の辺の一端部が前記第１チェーン部に回動可能に支持され、かつ、当該辺の他端部が前記第２チェーン部に回動可能に支持されていることを特徴とする水力発電装置。
【請求項２】
前記ランナー部と前記第１チェーン部との連結部、および前記ランナー部と前記第２チェーン部との連結部には、径方向外側に向かって延在し、前記ランナー部の回動を規制するストッパー部が設けられていることを特徴とする請求項１に記載の水力発電装置。
【発明の詳細な説明】
【技術分野】
【０００１】
本発明は、水力発電装置に関する。
【背景技術】
【０００２】
水力発電装置には、河川等の水流を利用し発電するものがある（例えば、特許文献１参照）。特許文献１に開示された水力発電装置は、水流を受けた水受けランナーが楕円形のガイドレールの周囲を循環して移動し、この移動のエネルギーを利用してスクリューを回転させ、発電するようになっている。
【先行技術文献】
【特許文献】
【０００３】
【特許文献１】特開２０１２−６２８７７号公報
【発明の概要】
【発明が解決しようとする課題】
【０００４】
ところで、上記の水力発電装置は、楕円形のガイドレールに、板状の水受けランナーが所定の間隔毎に複数取り付けられており、この水受けランナーはガイドレールの径方向外側に向かって突出（起立）した姿勢となっている。すなわち、水受けランナーはガイドレール外周の接線方向に対して垂直となっている。このため、水受けランナーが水面から浮上してガイドレールに沿って上昇する際に、水受けランナーの長さと水受けランナーの径方向外側の端部に働く重力方向の力との力のモーメントが、水受けランナーの移動を妨げる向きに作用する。これにより、水受けランナーの移動が妨げられ、水力発電装置の発電効率が低下してしまうおそれがあった。
【０００５】
本発明は上記のような事情に鑑みてなされたもので、水面から浮上したランナー部に作用する、ランナー部の移動を妨げる力を抑制し、発電効率が向上した水力発電装置を提供することを目的とする。
【課題を解決するための手段】
【０００６】
前記目的を達成するために、本発明に係る発電装置は、流路が設けられた浮台と、前記流路に配置された水車部とを備え、前記水車部は、前記流路に固定され、櫓状に形成された支持部と、前記支持部における前記流路の幅方向一方側に、軸方向を前記流路と直交させた状態の複数の歯車を、円弧状となるように配置して構成された第１歯車群と、前記支持部における前記流路の幅方向他方側に、軸方向を前記流路と直交させた状態の複数の歯車を、円弧状となるように配置して構成された第２歯車群と、前記第１歯車群および前記第２歯車群を構成する任意の歯車に接続され、当該歯車の回転に基づき発電する発電部と、前記第１歯車群に巻き掛けられた第１チェーン部と、前記第２歯車群に巻き掛けられた第２チェーン部と、前記第１チェーン部および前記第２チェーン部の径方向外側に、矩形状のランナー部を、周方向に沿って所定の間隔毎に複数取り付けられて構成された水受け部とを備え、前記ランナー部は、所定の辺の一端部が前記第１チェーン部に回動可能に支持され、かつ、当該辺の他端部が前記第２チェーン部に回動可能に支持されていることを特徴とする。
【０００７】
このような構成によれば、ランナー部における、所定の辺の一端部が第１チェーン部に回動可能に支持され、かつ当該辺の他端部が第２チェーン部に回動可能に支持されているため、水面から浮上したランナー部は、第１チェーン部と第２チェーン部の外周に沿った姿勢、すなわち、第１チェーン部および第２チェーン部とのなす角度が略０°となった状態（閉じた状態）で円弧に沿って上昇することとなる。このため、ランナー部が、第１チェーン部および第２チェーン部とのなす角度が略９０°となった状態（開いた状態）で円弧に沿って上昇する場合に比べて、ランナー部の移動を妨げる向きに働く力が低減されることとなる。これにより、ランナー部の移動がより推進され、発電効率がより上昇する。
【０００８】
また、本発明の前記構成において、前記ランナー部と前記第１チェーン部との連結部、および前記ランナー部と前記第２チェーン部との連結部には、径方向外側に向かって延在し、前記ランナー部の回動を規制するストッパー部が設けられている。
【０００９】
このような構成によれば、ランナー部は、下降時に、チェーン部との連結部を支点として回動し、チェーン部とのなす角度が所定の角度となるとストッパー部によってその回動が規制されることとなる。そして、ランナー部が、ストッパー部によってその回動が規制された状態（開いた状態）で下降することにより、ランナー部の径方向外側に向かって突出する長さと、ランナー部における径方向外側の端部に働く重力方向の力との力のモーメントが、ランナー部の移動を推進させる向きに働く。これにより、ランナー部の移動、すなわちチェーン部の回転がより推進され、発電効率がより上昇する。また、ランナー部の回動がストッパー部により規制されているため、着水した際に、流路を流れる水流の力を逃がすことなく受けることができ、チェーン部の回転がより推進される。これにより、発電効率がさらに上昇する。
【発明の効果】
【００１０】
本発明によれば、水力発電装置の発電効率を向上させることができる。
【図面の簡単な説明】
【００１１】
【図１】本発明の実施の形態に係る水力発電装置を示すもので、前方から見た斜視図である。
【図２】同、前方から見た正面図であり、異物除去部の網を取り外した状態を示している。
【図３】同、水車部を前方から見た斜視図であり、チェーン部およびランナー部を取り外した状態を示している。
【図４】同、水車部を後方から見た斜視図であり、チェーン部およびランナー部を取り外し、かつ発電装置を設置していない状態を示している。
【図５】同、発電装置を前方から見た斜視図である。
【図６Ａ】同、ギアボックスを示すもので、正面側から見た斜視図である。
【図６Ｂ】同、ギアボックスの軸方向断面図である。
【図７】同、水車部を前方から見た斜視図である。
【図８】同、水車部の左側面図である。
【図９】同、水車部の左側面図の一部を示す図である。
【図１０Ａ】同、水車部を前方から見た斜視図の一部を示すものであり、ランナー部が閉じた状態を示す図である。
【図１０Ｂ】同、水車部を前方から見た斜視図の一部を示すものであり、ランナー部が開いた状態を示す図である。
【図１１】同、水車部を示すもので、後方から見た斜視図の一部を示す図である。
【図１２】同、後方から見た斜視図である。
【発明を実施するための形態】
【００１２】
以下、図面を参照しながら本発明の実施の形態について説明する。
図１は、水力発電装置１の外観を示す斜視図である。水力発電装置１は、浮台１００、水車部１０、取込部１３０および異物除去部１４０等を備えている。水力発電装置１は、川、海等の水上に設置され、水流を利用して発電するようになっている。以下、水力発電装置１における取込部１３０側を「前」とし、取込部１３０側とは反対側を「後」とする。また、水力発電装置１を前方から見て、水力発電装置１の上端側を「上」、下端側を「下」、右端側を「右」、左端側を「左」とする。
【００１３】
水力発電装置１は、上方から見た形状（平面視）が矩形状であり、台状に形成された浮台１００を備えている。この浮台１００は、水に浮くように構成されている。以下、浮台１００が矩形状に形成されている場合について説明するが、浮台１００の形状はこれに限らず、例えば正方形状としてもよい。浮台１００における短手方向（左右方向）略中央部には、長手方向（前後方向）に沿って直線状の流路１１０が形成されている。この流路１１０は、断面コ字状に形成された溝となっており、底部および側部の一部が水面より低い位置に配置されるようになっている。水力発電装置１は、流路１１０における長手方向一方側から水を取り込むとともに、当該水を長手方向他方側に排出するようになっている。以下、流路１１０における水の流入口を流入口１１０ａ（図２参照）とし、水の排出口を流出口１１０ｂ（図１２参照）とする。
【００１４】
図２に示すように、水力発電装置１の流入口１１０ａ側には、より多くの水を取り込むための取込部１３０が設けられている。図２は、水力発電装置１を前方から見た図であり、異物除去部１４０の網１４３（図１参照）を取り外した状態を示している。
取込部１３０は、流入口１１０ａより大きな開口で形成された取込口１３１を備えている。取込部１３０は、取込口１３１の下縁、取込口１３１の左右の縁から流入口１１０ａに向けて延在する３つの板部材１３２ａ，１３２ｂ，１３２ｃを有している。取込部１３０は、取込口１３１から流入口１１０ａに向かうほど流路断面積が小さくなるように形成されている。流入口１１０ａを構成する下縁および左右の縁の長さは、取込口１３１を構成する下縁および左右の縁の長さより十分に短くなっている。これにより、取込部１３０は、取込口１３１から大量の水を取り込み、その流れを板部材１３２ａ，１３２ｂ，１３２ｃによって曲げて（絞って）高密度とし、流入口１１０ａに流入させるようになっている。以下、流路１１０を水が流れる向きを流路方向という。
【００１５】
図１に戻る。水車部１０は、浮台１００における流路１１０の内部に配置されている。水車部１０は、その一部が水面下となり、流路１１０の水流を受けるように配置されている。水車部１０は、平面視略矩形状を有し、短手方向（左右方向）の長さは、流路１１０の幅以下となり、長手方向（前後方向）の長さは、流路１１０の流路方向の長さ（流路長さ）以下となっている。
【００１６】
図３に示すように、水車部１０は、支持部２０、調整用シャフト３０、第１発電装置群４１および第２発電装置群４２等を備えている。なお、図３では、後述するチェーン部７０およびランナー部８０を取り外した状態の水車部１０を示している。以下、水車部１０（支持部２０）における、流路方向と直交する方向における左側の側面を左側面といい、同右側の側面を右側面という。支持部２０は、ベース部２０ａと櫓部２０ｂとからなっている。ベース部２０ａは、平面視略矩形状の板状部材である。櫓部２０ｂは、ベース部２０ａの上面に、複数の板状部材を櫓状に組んで形成されている。櫓部２０ｂは、側面（左右方向）から見て上方に凸となる山なり形状となっている。
【００１７】
支持部２０の前方側には、軸方向を左右方向と一致させた状態で、調整用シャフト３０が取り付けられている。詳細は後述するが、この調整用シャフト３０は、前後方向に対して移動可能となるように支持部２０に支持されている。調整用シャフト３０の左端部には、歯車１１ａが回転可能に支持され、同右端部には、歯車１２ａが回転可能に支持されている。
【００１８】
図４は、水車部１０を後方から見た斜視図であり、紙面奥側が前方側となっている。支持部２０を前方から見た際における左側面には、左方に突出した部位である連結部２１が４箇所に設けられ、同右側面には、右方に突出した部位である連結部２２が４箇所に設けられている。支持部２０は、この連結部２１および連結部２２を介して、流路１１０（図１参照）の側部に固定されている。当該固定の方法としては、例えばねじ締め等がある。
また、図３および図４に示すように、支持部２０の左側面における長手方向両端部の下方には、歯車１１ｂ，１１ｃが回転可能に支持され、支持部２０の右側面における長手方向両端部の下方には、歯車１２ｂ，１２ｃが回転可能に支持されている。
【００１９】
図３に示すように、支持部２０における左側には、５つの発電装置４１ａ，４１ｂ，４１ｃ，４１ｄ，４１ｅが長手方向に沿って並べて設置され、第１発電装置群４１が構成されている。また、支持部２０における右側には、５つの発電装置４２ａ，４２ｂ，４２ｃ，４２ｄ，４２ｅが長手方向に沿って並べて設置され、第２発電装置群４２が構成されている。支持部２０が側面（左右方向）から見て山なり形状を有しているため、第１発電装置群４１および第２発電装置群４２も、側面（左右方向）から見て山なり（円弧状）に配置されることとなる。
【００２０】
次に、図５、図６Ａおよび図６Ｂを用いて、発電装置４１ａについて説明する。なお、発電装置４１ａと同様の構成を有する発電装置４１ｂ〜４１ｅ、発電装置４２ａ〜４２ｅについては、重複する説明を省略する。図５に示すように、発電装置４１ａは、歯車２、シャフト３、ギアボックス４および発電部５等を備えている。また、シャフト３は、歯車２に挿入されて固定されており、歯車２と同期して回転するようになっている。図６Ａに示すように、シャフト３は、一端がギアボックス４の外部に露出し、他端がギアボックス４の内部に収容（挿入）されている。
【００２１】
図６Ｂに示すように、シャフト３の回転に伴いギア４ａが回転するようになっている。また、ギア４ａが１回転すると、ギア４ｂが例えば１０回転するようになっている。また、ギア４ｂの回転に伴いギア４ｃが回転し、ギア４ｃが例えば１０回転すると、ギア４ｄが例えば１００回転するようになっている。このギア４ｄは、出力シャフト４ｅと一体に設けられている。図示は省略するが、出力シャフト４ｅは、発電部５の内部に挿入されており、発電部５は、出力シャフト４ｅの回転を利用し、例えば、永久磁石とコイルとの協働によって発電するようになっている。
【００２２】
発電装置４１ａ〜４１ｅ、発電装置４２ａ〜４２ｅは、歯車２の回転に基づき発電するようになっている。なお、第１発電装置群４１、第２発電装置群４２で示した発電装置以外に、図３および図４で示した歯車１１ａ〜１１ｃ、歯車１２ａ〜１２ｃに、歯車の回転に基づき発電する発電部を設けてもよい。要は、発電部は、任意の歯車に取り付けられ、当該ギアの回転に基づき発電可能となっていればよい。
【００２３】
図７に示すように、歯車１１ａ〜１１ｃと、第１発電装置群４１の複数の歯車２とは、第１歯車群５１を構成する。この第１歯車群５１は、側方（左右方向）から見て円弧状となるように配置されている。また、左右方向反対側における、歯車１２ａ〜１２ｃと、第２発電装置群４２の複数の歯車２とは、第２歯車群５２を構成する。この第２歯車群５２は、側方（左右方向）から見て円弧状となるように配置されている。
【００２４】
また、第１歯車群５１には、輪状の第１チェーン部７１が巻き掛けられている。また、第２歯車群５２には、輪状の第２チェーン部７２が巻き掛けられている。第１チェーン部７１と第２チェーン部７２とは、左右方向に所定の距離だけ離間して配置されている。以下、第１チェーン部７１および第２チェーン部７２の両方を指してチェーン部７０という。チェーン部７０は、側方（左右方向）から見て略楕円形状となっている。なお、チェーン部７０が、側方（左右方向）から見て円形状に巻き掛けられるように、支持部２０、第１歯車群５１、および第２歯車群５２を構成してもよい。
【００２５】
また、チェーン部７０の径方向外側となる位置には、矩形板状のランナー部８０が、チェーン部７０の周方向に沿って、所定の間隔毎に複数取り付けられている。この複数のランナー部８０により、水受け部１３が構成されている。この水受け部１３は、流路１１０の水流を受けて、第１歯車群５１および第２歯車群５２の周囲を、歯車２、歯車１１ａ〜１１ｃ、歯車１２ａ〜１２ｃを回転させながら循環移動するようになっている。
【００２６】
ランナー部８０は、所定の辺（径方向内側の辺）の一端部が、第１チェーン部７１に連結されているとともに、当該辺の他端部が、第２チェーン部７２に連結されている。また、ランナー部８０は、左右方向における中央部が後方側（流路１１０の下流側）に向かって凹んだ湾曲形状を有している。このように、ランナー部８０を凹状に湾曲させることで、ランナー部８０に当たった水が左右方向等に逃げてしまうのが抑制され、流路１１０の水の流れを効率よくランナー部８０の移動に利用することができる。これにより、ランナー部８０の移動がより推進され、水力発電装置１の発電効率が上昇する。
【００２７】
また、ランナー部８０におけるチェーン部７０との連結部側（径方向内側）の約半分には、波状の加工が施されている。このように、ランナー部８０を波状に形成することで、ランナー部８０におけるチェーン部７０との連結部側の強度を向上させることができる。これにより、水流を受けた際にランナー部８０が破損等をするリスクを低減できる。
【００２８】
ここで、図１０Ａおよび図１０Ｂを用いて、ランナー部８０とチェーン部７０との連結について説明する。本実施の形態では、ランナー部８０と第１チェーン部７１との連結は、板状の連結部材９０を介して実現されている。なお、図示は省略しているが、ランナー部８０と第２チェーン部７２との連結も同様に、板状の連結部材９０を介して実現されている。
連結部材９０は、第１チェーン部７１の側面に締結部材により固定されている。締結部材としては、例えばボルトおよびナットがある。また、ランナー部８０は連結部材９０に回動可能に支持されている。なお、連結部材９０を介さずに、ランナー部８０と第１チェーン部７１とを直接連結してもよい。ランナー部８０と第２チェーン部７２との連結についても同様である。換言すると、ランナー部８０の所定の辺（径方向内側の辺）の一端部が、第１チェーン部７１に回動可能に支持されているとともに、当該辺の他端部が、第２チェーン部７２に回動可能に支持されているものとしてもよい。以下、ランナー部８０とチェーン部７０とが連結されている箇所を連結部６０（図９参照）と称する。
【００２９】
図８および図９に示すように、ランナー部８０は、連結部６０を支点として回動可能となるように、チェーン部７０に取り付けられている。換言すると、ランナー部８０とチェーン部７０とのなす角度は可変となっている。
図９に示すように、側方（左右方向）から見た場合におけるランナー部８０の延在方向（向き）を方向Ｓとする。また、チェーン部７０の連結部６０における接線方向を方向Ｔとする。ランナー部８０は、方向Ｓと方向Ｔとが略垂直となる状態と、方向Ｓと方向Ｔとが略一致する状態との間で、回動可能となっている。換言すると、ランナー部８０とチェーン部７０とのなす角度は、略０°から略９０°の間で変位するようになっている。以下、ランナー部８０とチェーン部７０とのなす角度が略９０°である状態を、ランナー部８０が開いた状態という。また、ランナー部８０とチェーン部７０とのなす角度が略０°である状態をランナー部８０が閉じた状態という。ランナー部８０が閉じた状態では、ランナー部８０における連結部６０側とは反対側の端部８１が、回転方向（移動方向）とは反対側（すなわち水車部１０の後方側）に位置するようになっている。ランナー部８０は、閉じた状態から、連結部６０を支点として、回転方向（移動方向）側に倒れ、開いた状態となる。
【００３０】
また、図１０Ａに示すように、連結部材９０には、第１チェーン部７１における外周の接線方向と略直交し、第１チェーン部７１の径方向外側に向かって延びる板状のストッパー部９１が設けられている。なお、図示は省略しているが、第２チェーン部７２側の連結部材９０にも同様にストッパー部９１が設けられている。また、連結部材９０を設けない場合には、例えばストッパー部９１を第１チェーン部７１および第２チェーン部７２に直接設けてもよい。図１０Ｂに示すように、ストッパー部９１は、ランナー部８０の回転方向（移動方向）側への回動を規制するために設けられている。すなわち、開いた状態のランナー部８０は、それ以上回転方向（移動方向）側に倒れないようにストッパー部９１によって規制されている。換言すると、ランナー部８０とチェーン部７０とのなす角度は、略９０°より大きい角度とはならないようになっている。
【００３１】
図８中、Ａで示すように、水中では、ランナー部８０は開いた状態となる。図８中、Ｂで示すように、ランナー部８０は水中から浮上した際に閉じた状態となる。図８中、Ｃで示すように、ランナー部８０は閉じた状態で支持部２０の頂部まで上昇する。図８中、Ｄで示すように、ランナー部８０は閉じた状態で支持部２０の頂部から下降をはじめる。図８中、Ｅで示すように、支持部２０の頂部と、支持部２０における最前方部（歯車１１ａ）との間で、ランナー部８０は、ランナー部８０に働く遠心力（重力）に基づいて、チェーン部７０との連結部６０を支点として回動し、開いた状態となる。図８中、Ｆで示すように、ランナー部８０は、開いた状態となって支持部２０の最前方部を通過し、さらに下降して水面に着水する。ランナー部８０は、流路１１０の水流を受けてＡ〜Ｆを繰り返し、第１歯車群５１および第２歯車群５２の周囲を循環移動する。このとき、第１歯車群５１および第２歯車群５２を構成する歯車２が回転し、発電するようになっている。
【００３２】
図８中、Ｃにおいて、仮に、ランナー部８０が開いた状態で上昇するとした場合、ランナー部８０の径方向外側に向かって突出する長さと、ランナー部８０における径方向外側の端部８１に働く重力方向の力との力のモーメントが、ランナー部８０の移動（チェーン部７０の回転）を妨げる向きに働くが、ランナー部８０が閉じた状態で上昇する場合には、そのような力は低減される。これにより、ランナー部８０の移動（チェーン部７０の回転）がより推進され、発電効率がより上昇する。
【００３３】
また、図８中、Ｆにおいて、ランナー部８０が開いた状態で下降する場合、ランナー部８０の径方向外側に向かって突出する長さと、ランナー部８０における径方向外側の端部８１に働く重力方向の力との力のモーメントが、ランナー部８０の移動（チェーン部７０の回転）を推進させる向きに働く。よって、ランナー部８０が閉じた状態で下降する場合に比べて、ランナー部８０の移動（チェーン部７０の回転）がより推進され、発電効率がより上昇する。
【００３４】
次に、図１１を用いて、調整用シャフト３０について説明する。
支持部２０における側面には、調整用シャフト３０の前後方向に対する位置を調整する位置調整部２３が設けられている。位置調整部２３としてのシャフトは、支持部２０に回転可能に支持されている。位置調整部２３と調整用シャフト３０との間には、傘歯車機構が設けられており、位置調整部２３の回転は、９０°向きが変換されて調整用シャフト３０に伝達されるようになっている。調整用シャフト３０は、例えば、位置調整部２３としてのシャフトを時計回りに回転させることにより前方に移動し、当該シャフトを反時計回りに回転させることにより、後方に移動するようになっている。
【００３５】
既述のとおり、調整用シャフト３０には、歯車１１ａ，１２ａが設けられており、歯車１１ａには第１チェーン部７１が巻き掛けられ、歯車１２ａには第２チェーン部７２が巻き掛けられている。よって、位置調整部２３を介して調整用シャフト３０の前後方向に対する位置を調整することで、第１チェーン部７１および第２チェーン部７２の張り具合を調整することができるようになっている。これにより、第１チェーン部７１および第２チェーン部７２の張り過ぎ、緩み過ぎに起因して生じる部品の故障を低減することができる。
【００３６】
また、図２に示すように、取込部１３０の取込口１３１には、錨鎖２０４が連結されている。この錨鎖２０４は、鎖の他、ケーブル等としてもよい。錨鎖２０４の先端には、錨２０５が取り付けられている。錨２０５は、例えば、金属製のおもりである。錨２０５が水中に沈み、水底に接触している状態では、浮台１００が漂流せずに一定の場所に留まるようになっている。
【００３７】
図１に示すように、取込部１３０における取込口１３１の前方には、異物除去部１４０が設けられている。この異物除去部１４０は、上方から見た形状（平面視）が略三角形状となっている。異物除去部１４０は、水中のゴミ等の異物が流路１１０に侵入するのを防ぐために設けられている。異物除去部１４０は、支柱１４１、一対の円管１４２，１４２および網１４３を備えている。支柱１４１は、取込口１３１における左右方向略中央部の前方側であって、取込口１３１から所定の距離だけ離れた位置に配置され、水上に突出している。また、一方の円管１４２は、取込口１３１における左の縁と支柱１４１との間に設けられ、他方の円管１４２は、取込口１３１における右の縁と支柱１４１との間に設けられている。この一対の円管１４２は、水に浮くように構成されている。また、網１４３は、支柱１４１、一対の円管１４２，１４２および取込口１３１に端部が固定された状態で水中に配置され、取込部１３０（取込口１３１）の前方を覆っている。
【００３８】
また、浮台１００の上面前方側（取込口１３１側）には、板状の警告板１５０が左右方向に延在するように立設されている。この警告板１５０の前面側には、一対の迂回指示部１５１が設けられている。この迂回指示部１５１は、例えば、矢印形状の板状部材であり、警告板１５０に接着等により固定されている。この迂回指示部１５１は、周囲の船舶等に迂回を指示するために設けられている。なお、図１２に示すように、一対の迂回指示部１５１は、浮台１００における後方側面にも設けられている。
【００３９】
また、図１に示すように、警告板１５０における左右の上部には、警告灯２０３が設けられている。警告灯２０３は、例えば、ＬＥＤ、白熱電球等である。警告灯２０３は、周囲の船舶等に水力発電装置１の存在を示すために設けられている。警告灯２０３は、浮台１００における上面後方側の両端部や支柱１４１の上部（先端）にも設けられている。
【符号の説明】
【００４０】
１  水力発電装置
５  発電部
１０  水車部
１３  水受け部
２０  支持部
５１  第１歯車群
５２  第２歯車群
７１  第１チェーン部
７２  第２チェーン部
８０  ランナー部
９１  ストッパー部
１００  浮台
１１０  流路
【図１】
2020153279.tif 000003
【図２】
2020153279.tif 000004
【図３】
2020153279.tif 000005
【図４】
2020153279.tif 000006
【図５】
2020153279.tif 000007
【図６Ａ】
2020153279.tif 000008
【図６Ｂ】
2020153279.tif 000009
【図７】
2020153279.tif 000010
【図８】
2020153279.tif 000011
【図９】
2020153279.tif 000012
【図１０Ａ】
2020153279.tif 000013
【図１０Ｂ】
2020153279.tif 000014
【図１１】
2020153279.tif 000015
【図１２】
2020153279.tif 000016